(57)【要約】【課題】ルーペを用いて仕掛け等をラインに結び付ける作業をする場合に、仕掛け等を確実に固定して作業を容易にする。【解決手段】親指を挿通して支持させるための指輪１と、この指輪１に首振り自在に取り付けられたルーペ３と、このルーペ３の対物側に対物側に向けて取り付けられた電球５とを備えた釣具用ルーペにおいて、ルーペ３の対物側前方に仕掛け等を着脱自在に把持する密着円筒コイルばね１１を突設する。密着円筒コイルばね１１は、その一端に軸方向とほぼ平行な直線部１２を形成するとともに、指輪１の外側に直線部１２の外径と同径かやや大径の内径を有する支持円筒９を設け、この支持円筒９の孔に密着円筒コイルばね１１の直線部１２を抜き差し自在に挿入して密着円筒コイルばね１１を支持する。【選択図】  図１
2004279504.tif 000002
【特許請求の範囲】
【請求項１】
親指を挿通して支持させるための指輪と、この指輪に首振り自在に取り付けられたルーペと、このルーペの対物側に対物側に向けて取り付けられた照明器具とを備えた釣具用ルーペにおいて、
前記ルーペの対物側前方に仕掛け等を着脱自在に把持する把持手段を突設したことを特徴とする釣具用ルーペ。
【請求項２】
請求項１に記載の釣具用ルーペにおいて、
前記把持手段として密着円筒コイルばねを用いたことを特徴とする釣具用ルーペ。
【請求項３】
請求項２に記載の釣具用ルーペにおいて、
前記密着円筒コイルばねの一端に軸方向とほぼ平行な直線部を形成するとともに、前記指輪の外側に前記直線部の外径と同径かやや大径の内径を有する支持円筒を設け、この支持円筒の孔に前記密着円筒コイルばねの直線部を抜き差し自在に挿入して密着円筒コイルばねを支持するようにしたことを特徴とする釣具用ルーペ。
【請求項４】
請求項３に記載の釣具用ルーペにおいて、
前記密着円筒コイルばねの直線部を樹脂チューブにより被覆したことを特徴とする釣具用ルーペ。
【請求項５】
請求項２乃至４のいずれかに記載の釣具用ルーペにおいて、前記密着円筒コイルばねの先端側の少なくとも１周部分を前方向にほぼ９０度起こした形状としたことを特徴とする釣具用ルーペ。
【発明の詳細な説明】
【０００１】
【発明の属する技術分野】
本発明は、釣行に携帯していき、仕掛けをラインに結びつける等の細かい作業する際に手元を照明するとともに拡大する釣具用ルーペに関する。
【０００２】
【従来の技術】
従来、釣行に携帯して手元を拡大するルーペとしていくつか提案されている。例えば、手の指または手首にはめて係止するためのリング状のホルダ部とレンズのある虫めがね部とからなるホルダ付き虫めがねがある（特許文献１参照）。また、虫めがねを取り付けた指輪もある（特許文献２参照）。さらには、束の先端に指を差し込む輪を設け、ルーペの取っ手に指を差し込むことができるようにした指ルーペもある（特許文献３参照）。またさらには、ルーペ部に照明器具を備えたレバー付きルーペもある（特許文献４参照）。さらには、ルーペを首振り在に支持することができる釣具用クリップ付拡大鏡もある（特許文献５参照）。
【０００３】
【特許文献１】
特開平８−２２０４５２号公報
【特許文献２】
特開平８−２６２３４５号公報
【特許文献３】
特開平１０−１０４４２号公報
【特許文献４】
特開２０００−２２１４１８公報
【特許文献５】
実開昭５８−１９１４公報
【０００４】
【発明が解決しようとする課題】
しかしながら、上述したルーペ等は、ラインに仕掛けを結び付ける等の釣り具の細かい作業をする際に、作業の手元を照明したり拡大することが可能ではあるものの、作業対象の仕掛けや釣り針等を支えて作業を進めやすくする工夫はなかった。
そこで本発明は、釣行先で、ラインに仕掛けを結び付ける等の釣り具の細かい作業をする際に、手元を照明したり拡大するとともに、仕掛けや釣り針等を支えて作業を容易にすることを可能とした釣具用ルーペを提案することを目的とする。
【０００５】
【課題を解決するための手段】
そこで上記課題を解決するために、請求項１の発明は、親指を挿通して支持させるための指輪と、この指輪に首振り自在に取り付けられたルーペと、このルーペの対物側に向けて取り付けられた照明器具とを備えた釣具用ルーペにおいて、前記ルーペの対物側前方に仕掛け等を着脱自在に把持する把持手段を突設したことを特徴とする。
【０００６】
ここで、把持手段として密着円筒コイルばねを用い、密着円筒コイルばねの一端に軸方向とほぼ平行な直線部を形成するとともに、前記指輪の外側に前記直線部の外径と同径かやや大径の内径を有する支持円筒を設け、この支持円筒の孔に前記密着円筒コイルばねの直線部を抜き差し自在に挿入して密着円筒コイルばねを支持するようにすることが好ましい。
【０００７】
また、前記密着円筒コイルばねの直線部を樹脂チューブにより被覆し、さらに密着円筒コイルばねの先端側の少なくとも１周部分を前方向にほぼ９０度起こした形状とすることが可能である。
【０００８】
【発明の実施の形態】
以下、図に基づいて本発明の実施形態を説明する。
図１は本発明の釣具用ルーペの実施形態を示す右側面図であり、図２は図１の正面図である。この図示例は右利きの人が左親指に挿着して主に右手で作業する場合の釣具用ルーペを示している。図において、１は親指を挿通して支持させるための指輪であり、下部にスリットＳが形成されるとともに弾性を有する軟質樹脂からなり、親指の太さに大小がある場合にも対応可能にしている。指輪１の頂部中央には蝶番２を介してプラスチックレンズからなるルーペ３が前後方向回動自在に支持されている。さらにルーペ３はビス４を中心にして左右方向も回動自在であり、ルーペ３を団扇のような形状にして、左右方向の回動範囲を広くしている。指輪１の頂部の前部には、前方を照明する照明器具であるところの電球５および反射板６が取り付けられている。なお、この照明器具として、発光ダイオードを用いることも可能であり、その場合は発光ダイオードの前面に光を拡散させるためのレンズを設けるようにする。
【０００９】
指輪１の頂部の後部には、電球５の電源スイッチ７が取り付けられている。指輪１の左側には、電球５の電源となる電池を収納するための蓋付き電池ケース８が取り付けられている。指輪１の右側上部には、指輪１の軸方向と平行に支持円筒９が取り付けられている。支持円筒９には、前方から密着円筒コイルばね１１の一端の直線部１２が抜き差し自在に挿通されている。なお、この直線部１２には樹脂チューブ１３が被覆してあり、直線部１２と支持円筒９の内面との摩擦抵抗を増し、密着円筒コイルばね１１の軸方向の保持力を高めている。この支持円筒９の内径は、樹脂チューブ１３を被覆した直線部１２の外径と同じかやや大きくしてある。密着円筒コイルばね１１の先端部１４は、少なくとも１周部分が前方に９０度起こされた形状をしている。
【００１０】
図３は、密着円筒コイルばね１１の使用方法を説明する平面図である。釣具用ルーペの指輪１の部分に左手の親指を挿通した状態で、密着円筒コイルばね１１の先端部１４を左方向に押圧すると、密着円筒コイルばね１１のコイル部分は、櫛歯のように隙間が形成される。その隙間の１箇所に、仕掛け１５を挟みこみ先端部１４の押圧を戻すと、ばね力により、仕掛け１５がコイル部分に把持される。この状態で仕掛け１５にラインを結ぶ等の作業が可能となる。もちろん、これらの作業をする場合は、ルーペ３の角度や位置合わせをするとともに、暗い場合は、電源スイッチ７をオンにして電球５を点灯させる。同時に、密着円筒コイルばね１１の前後方向の位置も調整して、仕掛け１５の作業が最適な位置で行えるようにする。
【００１１】
なお、上述の実施形態では、把持手段として、密着円筒コイルばね１１を用いているが、他の把持手段としては、磁石の吸着力を利用した把持具、粘着材を利用して吸着させるもの、ばね力により挟圧するクリップ等を用いることが可能である。また、上述の実施形態は右利き用であるが、左利きの場合は、蓋付き電池ケース８と支持円筒９を左右反対位置に移動した構成となる。
【００１２】
【発明の効果】
以上述べたように本発明によれば、ルーペの対物側前方に仕掛け等を着脱自在に把持する把持手段を突設したことで、仕掛け等をその把持手段に把持させて固定することが可能となり、仕掛け等のラインへの結び付け等の作業が容易となる。
ここで、把持手段として密着円筒コイルばねを用いると、ばねの円筒部分を割ってその中に仕掛け等を挟んで支持することが可能となり、安定した把持が可能となる。
また、密着円筒コイルばねの一端に軸方向とほぼ平行な直線部を形成するとともに、指輪の外側に直線部の外径と同径かやや大径の内径を有する支持円筒を設け、この支持円筒の孔に密着円筒コイルばねの直線部を抜き差し自在に挿入して密着円筒コイルばねを支持するようにしたことで、把持部分の前後方向の位置調整が可能となる。
さらに、密着円筒コイルばねの直線部を樹脂チューブにより被覆したことにより、直線部の支持円筒内での摺動抵抗が増して把持部分の前後方向の保持力が増す。
さらにまた、密着円筒コイルばねの先端側の少なくとも１周部分を前方向にほぼ９０度起こした形状としたことで、その突端部を横方向に押圧すると、ばねの円筒部分が割れて仕掛け等を把持させることが容易となる。
【図面の簡単な説明】
【図１】本発明の釣具用ルーペの実施形態を示す右側面図である。
【図２】本発明の釣具用ルーペの実施形態を示す正面図である。
【図３】本発明の釣具用ルーペの実施形態の使用状態を示す平面図である。
【符号の説明】
１  指輪
２  蝶番
３  ルーペ
４  ビス
５  電球
６  反射板
７  電源スイッチ
８  蓋付き電池ケース
９  支持円筒
１１  密着円筒コイルばね
１２  直線部
１３  樹脂チューブ
１４  先端部
１５  仕掛け
Ｓ  スリット
【図１】
2004279504.tif 000003
【図２】
2004279504.tif 000004
【図３】
2004279504.tif 000005